(57)【要約】  本発明に係るシャワー装置は、浴室の壁に固定される被固定部と、被固定部に対して上下方向に回動可能に設けられたアーム型シャワーとを備える。アーム型シャワーは、その長手方向に並べて設けられた複数のシャワーノズルを有する。アーム型シャワーは、その長手方向と平行な回動軸を中心に回動できるように構成されている。
2014041780.tif 000002
【特許請求の範囲】
【請求項１】
浴室の壁に固定される被固定部と、
この被固定部に対して上下方向に回動可能に設けられたアーム型シャワーと
を備え、
このアーム型シャワーがその長手方向に並べて設けられた複数のシャワーノズルを有し、
前記アーム型シャワーがその長手方向と平行な回動軸を中心に回動可能である
ことを特徴とするシャワー装置。
【請求項２】
前記アーム型シャワーが、
水平よりも上側に回動して浴室に立った利用者に向けてシャワーを吐出する位置から、この位置よりも下側に回動して浴室に座った利用者に向けてシャワーを吐出する位置まで回動可能である
ことを特徴とする請求項１に記載のシャワー装置。
【請求項３】
前記アーム型シャワーが前記被固定部の左右両側に設けられている
ことを特徴とする請求項１に記載のシャワー装置。
【請求項４】
前記両アーム型シャワーが夫々独立して上下に回動可能である
ことを特徴とする請求項３記載のシャワー装置。
【請求項５】
前記アーム型シャワーが前記被固定部において前記浴室の壁から前方に離れた箇所に上下に回動可能に連結され、
前記アーム型シャワーが前記被固定部から後斜め下方又は後斜め上方に向けて突出する位置まで回動可能である
ことを特徴とする請求項１に記載のシャワー装置。
【請求項６】
前記被固定部が湯水混合栓で構成され、
前記湯水混合栓にはハンドシャワーが接続されている
ことを特徴とする請求項１に記載のシャワー装置。
【請求項７】
前記被固定部が湯水混合栓で構成され、
前記湯水混合栓にはオーバーヘッドシャワーが接続されている
ことを特徴とする請求項１記載のシャワー装置。
【請求項８】
前記アーム型シャワーから吐出されたシャワーを浴びる位置に座るための折り畳み式椅子が設けられている
ことを特徴とする請求項１に記載のシャワー装置。
【請求項９】
前記被固定部が横長の湯水混合栓であり、
前記湯水混合栓が湯温を調整するための湯温調整用操作部を有し、
前記アーム型シャワーが前記湯水混合栓の長手方向の端部に上下方向に回動可能に連結されている
ことを特徴とする請求項１記載のシャワー装置。
【請求項１０】
前記被固定部が横長の湯水混合栓であり、
前記湯水混合栓には、当該湯水混合栓を操作するための操作部が設けられ、
前記操作部は、前記湯水混合栓の長手方向における中央部よりも外側にずれた位置に設けられている
ことを特徴とする請求項１に記載のシャワー装置。
【請求項１１】
当該シャワー装置は、
下方に水を吐水する吐水口部と、
この吐水口部を利用する利用者に向けてシャワーを吐出する第２のシャワーノズルと
をさらに備え、
このシャワー装置は、前記吐水口部からの水と前記第２のシャワーノズルからのシャワーとが同時に吐出できるように構成されたものである
ことを特徴とする請求項１に記載のシャワー装置。
【請求項１２】
前記アーム型シャワーに設けられた複数の前記シャワーノズルのうち、少なくとも１つの前記シャワーノズルが吐出方向を変更できるように構成されている
ことを特徴とする請求項１に記載のシャワー装置。
【請求項１３】
前記アーム型シャワーの長手方向において、最も被固定部側に位置するシャワーノズルと、最も先端側に位置するシャワーノズルとのうち、少なくとも１つの前記シャワーノズルは吐出方向の変更が可能であり、
吐出方向の変更が可能な前記シャワーノズル以外の前記シャワーノズルは吐出方向が一方向に固定されている
ことを特徴とする請求項１２に記載のシャワー装置。
【発明の詳細な説明】
【技術分野】
【０００１】
本発明はシャワー装置に関する。
【背景技術】
【０００２】
特許文献１（日本国公開特許公報特開２００３−１９００３７号公報）には、打たせ湯用のオーバーヘッドシャワーやハンドシャワーを備えたシャワータワーが開示されている。【０００３】
ところで、オーバーヘッドシャワーは利用者の頭上からシャワーを吐出するものであるため、利用者がオーバーヘッドシャワーから吐出されたシャワーを所望の部位に当て難いという課題がある。また、利用者が椅子を利用して浴室に座る等したとき、オーバーヘッドシャワーのシャワーヘッドが利用者から離れた位置に配置される場合がある。このような場合にも、利用者はオーバーヘッドシャワーから吐出されたシャワーを所望の部位に当て難くなる。【０００４】
一方、ハンドシャワーは屈曲可能なホース等にシャワーヘッドを接続したものである。このため、利用者はハンドシャワーのシャワーヘッドの位置を変更することができ、身体の所望の部位にシャワーを当てることができる。しかし、ハンドシャワーは利用の際にシャワーヘッドを手で持つ必要があり、使い勝手が良くない場合がある。
【発明の開示】
【０００５】
本発明は前記事情に鑑みてなされたものであって、利用者の所望の部位に簡単にシャワーを当てることができ、使い勝手の良いシャワー装置を提供することを課題とする。
【０００６】
本発明に係る第１の形態のシャワー装置は、浴室の壁に固定される被固定部と、この被固定部に対して上下方向に回動可能に設けられたアーム型シャワーとを備え、このアーム型シャワーがその長手方向に並べて設けられた複数のシャワーノズルを有し、前記アーム型シャワーがその長手方向と平行な回動軸を中心に回動可能となるように構成される。
【０００７】
本発明に係る第２の形態のシャワー装置は、第１の形態において、前記アーム型シャワーが、水平よりも上側に回動して浴室に立った利用者に向けてシャワーを吐出する位置から、この位置よりも下側に回動して浴室に座った利用者に向けてシャワーを吐出する位置まで回動可能であるように構成される。
【０００８】
本発明に係る第３の形態のシャワー装置は、第１の形態において、前記アーム型シャワーが前記被固定部の左右両側に設けられる。
【０００９】
本発明に係る第４の形態のシャワー装置は、第３の形態において、前記両アーム型シャワーが夫々独立して上下に回動可能であるように構成される。
【００１０】
本発明に係る第５の形態のシャワー装置は、第１の形態において、前記アーム型シャワーが前記被固定部において前記浴室の壁から前方に離れた箇所に上下に回動可能に連結され、前記アーム型シャワーが前記被固定部から後斜め下方又は後斜め上方に向けて突出する位置まで回動可能であるように構成される。
【００１１】
本発明に係る第６の形態のシャワー装置は、第１の形態において、前記被固定部が湯水混合栓で構成され、前記湯水混合栓にはハンドシャワーが接続される。
【００１２】
本発明に係る第７の形態のシャワー装置は、第１の形態において、前記被固定部が湯水混合栓で構成され、前記湯水混合栓にはオーバーヘッドシャワーが接続される。
【００１３】
本発明に係る第８の形態のシャワー装置は、第１の形態において、前記アーム型シャワーから吐出されたシャワーを浴びる位置に座るための折り畳み式椅子が設けられる。
【００１４】
本発明に係る第９の形態のシャワー装置は、第１の形態において、前記被固定部が横長の湯水混合栓であり、前記湯水混合栓が湯温を調整するための湯温調整用操作部を有し、前記アーム型シャワーが前記湯水混合栓の長手方向の端部に上下方向に回動可能に連結される。
【００１５】
本発明に係る第１０の形態のシャワー装置は、第１の形態において、前記被固定部が横長の湯水混合栓であり、前記湯水混合栓には、当該湯水混合栓を操作するための操作部が設けられ、前記操作部は、前記湯水混合栓の長手方向における中央部よりも外側にずれた位置に設けられる。
【００１６】
本発明に係る第１１の形態のシャワー装置は、第１の形態において、下方に水を吐水する吐水口部と、この吐水口部を利用する利用者に向けてシャワーを吐出する第２のシャワーノズルとをさらに備え、このシャワー装置は、前記吐水口部からの水と前記第２のシャワーノズルからのシャワーとが同時に吐出できるように構成されたものである。
【００１７】
本発明に係る第１２の形態のシャワー装置は、第１の形態において、前記アーム型シャワーに設けられた複数の前記シャワーノズルのうち、少なくとも１つの前記シャワーノズルが吐出方向を変更できるように構成される。
【００１８】
本発明に係る第１３の形態のシャワー装置は、第１２の形態において、前記アーム型シャワーの長手方向において、最も被固定部側に位置するシャワーノズルと、最も先端側に位置するシャワーノズルとのうち、少なくとも１つの前記シャワーノズルは吐出方向の変更が可能であり、吐出方向の変更が可能な前記シャワーノズル以外の前記シャワーノズルは吐出方向が一方向に固定されている。
【図面の簡単な説明】
【００１９】
【図１】本実施形態のシャワー装置が浴室の壁に設置された状態を示す斜視図である。
【図２】装置本体のみで構成されたシャワー装置が設置された状態を示す斜視図である。
【図３】装置本体のみで構成されたシャワー装置が設置された状態を示す斜視図であり、このシャワー装置にはオーバーヘッドシャワーが接続されている。
【図４】本実施形態のシャワー装置の配管系統図である。
【図５Ａ】本実施形態のシャワー装置について利用者が立って利用する様子を示す説明図である。
【図５Ｂ】本実施形態のシャワー装置について利用者が座って利用する様子を示す説明図である。
【図６Ａ】シャワーノズルの他例を示す断面図である。
【図６Ｂ】シャワーノズルの他例を示す断面図である。
【発明を実施するための形態】
【００２０】
本発明に係る一実施形態のシャワー装置１は、主たる機能を有する装置本体１０に加えて、オプションとして椅子３やオーバーヘッドシャワー４を設けることができる。すなわち、椅子３及びオーバーヘッドシャワー４は、本実施形態のシャワー装置１において、必ずしも必要な構成ではない。
【００２１】
シャワー装置１は例えば図１〜図３に示されるように浴室の壁５に沿って設けられる。なお、以下ではシャワー装置１を壁５に設置したときの方向を基準にして説明する。また、壁５に直交する方向を前後方向とし、シャワー装置１から見て壁５側を後側として説明する。
【００２２】
図１に示されるシャワー装置１は、オプションとして椅子３を備えている。図２に示されるシャワー装置１は装置本体１０だけで構成されている。図３に示されるシャワー装置１は、オプションとしてオーバーヘッドシャワー４を備えている。
【００２３】
装置本体１０は、湯水混合栓２０、アーム型シャワー２２、ハンドシャワー２３、及び本体カバー２４を備えている。
【００２４】
湯水混合栓２０は、上水道から給水管６０（図４参照）を介して供給された水と、給湯器から給湯管６１（図４参照）を介して供給された湯を混合して所望温度の湯水を生成する。給水管６０及び給湯管６１は、例えば浴室外から壁５の本体カバー２４に対応する部分を通して浴室内に導入され、この浴室内に導入された部分が湯水混合栓２０に接続される。
【００２５】
図４に示されるように給水管６０には湯水混合栓２０への給水の有無を切り替える止水栓６２が設けられている。給湯管６１には湯水混合栓２０への給湯の有無を切り替える止水栓６３が設けられている。止水栓６２、６３は逆止弁付きの止水栓である。止水栓６２は、給水管６０において壁５から浴室内に導入された部分に設けられる。止水栓６３は、給湯管６１において壁５から浴室内に導入された部分に設けられる。
【００２６】
図１等に示されるように湯水混合栓２０は横長である。湯水混合栓２０の外殻は、カウンター部２００と、このカウンター部２００の前端部に位置する円筒状部２０１とで構成されている。カウンター部２００は左右に長い略矩形箱状に形成されている。カウンター部２００の後端は鉛直な壁５に沿って配置され、湯水混合栓２０はこの状態で壁５に取り付けられる。すなわち、本実施形態では湯水混合栓２０がシャワー装置１において壁５に固定される被固定部２となる。
【００２７】
このように、本実施形態のシャワー装置１は、浴室の壁５に固定される被固定部２を備えている。この被固定部２は、湯水混合栓２０によって構成されている。
【００２８】
湯水混合栓２０はカウンター部２００の上面が略水平となるように設置される。カウンター部２００の上面は、石鹸置きやシャンプーボトル等の小物を載置するための載置部を構成する。湯水混合栓２０の円筒状部２０１は湯水混合栓２０の前端部に位置する。円筒状部２０１は、湯水混合栓２０を壁５に取り付けたときに壁５から前方に離れた位置に配置される。
【００２９】
アーム型シャワー２２は、湯水混合栓２０の長手方向の両端部に夫々設けられている。各アーム型シャワー２２は、アーム部２２０と、アーム部２２０に設けられた複数のシャワーノズル２２１（第１のシャワーノズル）とを有している。
【００３０】
各アーム型シャワー２２のアーム部２２０は、直線状に形成され、詳しくは円筒状に形成されている。アーム部２２０の長手方向の一端部（第１の端部２２０Ａ）は、回動部材２２２を介して湯水混合栓２０に連結されている。各回動部材２２２は、湯水混合栓２０の円筒状部２０１に左右軸（第１の回転軸）回り方向に回動可能に設けられている。前記左右軸回り方向に回動可能とは、左右方向と平行な回動軸を中心にして回動可能であることを意味する。両アーム型シャワー２２は湯水混合栓２０に対して夫々独立して上下に回動可能となっている。各アーム型シャワー２２の上下方向の回動範囲は湯水混合栓２０によっては規制されていない。このため、各アーム型シャワー２２は、図１等に示されるように湯水混合栓２０から後斜め下方に向けて突出してその先端部が浴室の壁５に当接する下位置から、湯水混合栓２０から後斜め上方に向けて突出してその先端部が浴室の壁５に当接する上位置までの範囲で回動可能となる。
【００３１】
このように、アーム部２２０は一方向に長さを有している。アーム部２２０は、第１の端部２２０Ａと第２の端部２２０Ｂとを備えている。第１の端部２２０Ａは、長さ方向の湯水混合栓２０側の端部である。第２の端部２２０Ｂは、長さ方向において第１の端部２２０Ａとは反対側の端部である。第１の端部２２０Ａには回動部材２２２が設けられている。回動部材２２２は、アーム部２２０と湯水混合栓２０とを連結する。回動部材２２２は、湯水混合栓２０に対して、アーム部２２０を、第１の回転軸回りに回転可能な状態で連結する。これにより、アーム部２２０の第２の端部は、湯水混合栓２０よりも下方において浴室の壁５に当たる位置（下位置）から、湯水混合栓２０よりも上方において、浴室の壁５に当たる位置（上位置）までの範囲で移動する。また、湯水混合栓２０の左側に設けられたアーム部２２０と、右側に設けられたアーム部２２０とは、互いに独立して上下に回動できるように構成されている。
【００３２】
各回動部材２２２は一定以上の力を加えたときのみ湯水混合栓２０に対して回動する。すなわち、回動部材２２２は、アーム部２２０に対して所定の力以上の力で左右軸（第１の回転軸）回りに回転力が加えられると、アーム部２２０の左右軸回りの回転を許容する。一方、回転部材２２２は、アーム部２２０に対して、一定の力未満の力で左右軸回りに回転力が加えられても、アーム部２２０の回転を規制する。このため、各アーム型シャワー２２は湯水混合栓２０によって所望の回動位置で保持されるようになっている。
【００３３】
シャワーノズル２２１は各アーム部２２０の長手方向に複数設けられている。各シャワーノズル２２１は、湯水混合栓２０からアーム型シャワー２２に供給された湯水をシャワー（シャワー水）にして吐出する。このシャワーは、広角に拡散して吐出される多数の水流で構成される。また、このシャワーを構成する水流は直径４００μｍ程度の微細水流である。
【００３４】
各アーム型シャワー２２のシャワーノズル２２１はアーム部２２０の長手方向に一列に等間隔で並べて設けられている。各シャワーノズル２２１はアーム部２２０の周方向において同位置に配置されている。同一のアーム部２２０に設けられたシャワーノズル２２１の向きは全て同じである。このため、同一のアーム部２２０に設けられた各シャワーノズル２２１からは略同一方向にシャワーが吐出される。両アーム部２２０は左右対称である。このため、両アーム部２２０のシャワーノズル２２１同士は対向する位置に配置可能である。
【００３５】
このように本実施形態のシャワー装置１は、一つのアーム部２２０に設けられた複数のシャワーノズル２２１の吐出方向は、全て同じ方向に向けられているが、次のような構成であってもよい。
【００３６】
各アーム部２２０には、シャワーノズル２２１を取り付けるためのノズル取付部２７（図６参照）が複数箇所に設けられる。各ノズル取付部２７に１つのシャワーノズル２２１が取り付けられることで、アーム部２２０には、複数のシャワーノズル２２１が一定の間隔をおいて設けられる。シャワーノズル２２１同士は、同一直線上に位置する。シャワーノズル２２１の並ぶ方向は、アーム部２２０の長手方向に平行となる。
【００３７】
また、複数のシャワーノズル２２１のうち、最も被固定部２側（第１の端部２２０Ａ側）に位置するシャワーノズル２２１と、最も先端側（第２の端部２２０Ｂ側）に位置するシャワーノズル２２１とが、吐出方向自在ノズル２５によって構成される。また、この吐出方向自在ノズル２５以外のノズルは、吐出方向固定ノズル２６によって構成される。
【００３８】
吐出方向自在ノズル２５の一例を図６Ｂに示す。吐出方向自在ノズル２５は、シャワーの吐出方向を変更できるように構成されている。具体的に説明すると、吐出方向自在ノズル２５の吐出方向は、アーム部２２０の長手方向と、この長手方向に直角な方向とに所定の範囲で変更でき、これにより、図６Ｂ中の矢印Ａの方向に見て、３６０°の範囲で変更できるように構成されている。
【００３９】
吐出方向自在ノズル２５は、ノズル本体２５０と、噴出部２５１とを備えている。ノズル本体２５０は、ノズル取付部２７に回転自在に保持される可動部２５２と、可動部２５２から突出した突出部２５３とを備えている。噴出部２５１は、突出部２５３の突出先端に取り付けられる。吐出方向自在ノズル２５は、突出部２５３が設けられていることで、アーム部２２０と干渉しない範囲で吐出方向を変更することができる。
【００４０】
吐出方向固定ノズル２６の一例を図６Ａに示す。吐出方向固定ノズル２６は、シャワーの吐出方向が一方向に固定されたものである。吐出方向固定ノズル２６同士は、ノズル取付部２７に取り付けられると、それぞれの吐出方向が平行となる。吐出方向固定ノズル２６は、ノズル本体２５０と、噴出部２５１とを備えている。ノズル本体２５０には噴出部２５１が取り付けられる。噴出部２５１の周囲にはノズル取付部２７が近接する。これにより、吐出方向固定ノズル２６は、噴出部２５１がノズル取付部２７に干渉することで、吐出方向が変更できないように構成され、吐出方向が一定の方向に固定される。
【００４１】
なお、吐出方向自在ノズル２５は、複数のシャワーノズル２２１のうち、最も被固定部２側に位置するシャワーノズル２２１と、その反対側に位置するシャワーノズル２２１とのうち、いずれか一方のみに用いられていてもよい。また、アーム部２２０の長手方向に並んだシャワーノズル２２１の端のシャワーノズル２２１に限らず、全てのうちのいずれか１つのみを吐出方向自在ノズル２５によって構成してもよい。
【００４２】
各アーム型シャワー２２のアーム部２２０は回動部材２２２に対してアーム部２２０の長手方向（左右方向と直交する方向）と平行な回動軸（第２の回転軸）を中心にして回動可能に設けられている。各アーム部２２０を回動部材２２２に対して回動することで、各アーム部２２０に設けられた複数のシャワーノズル２２１の向きを所望の向きに変更することができる。各アーム部２２０は、回動部材２２２に対して、第２の回転軸回りに、一回転（３６０°）以上回動させることができる。このため、例えば各シャワーノズル２２１の向きを他のアーム部２２０側に向けた状態から、他のアーム部２２０とは反対側となる外側に向けた状態まで回動することができる。また、各アーム型シャワー２２のアーム部２２０は、第２の回転軸回りに一定以上の力を加えたときにのみ、回動部材２２２に対して回動する。このため、各アーム部２２０は、回動部材２２２によって、第２の回転軸回りの所望の回動位置で保持される。
【００４３】
図２や図３に示されるように装置本体１０の本体カバー２４は水平断面形状が後方に開口する溝形に形成されている。本体カバー２４は湯水混合栓２０又は壁５あるいはその両方に着脱自在に取り付けられる。本体カバー２４は湯水混合栓２０の下方に隣接して配置される。給水管６０及び給湯管６１において前記壁５から浴室内に引き出された部分及び同部に設けられた止水栓６２、６３は、本体カバー２４によって覆われる。止水栓６２、６３は本体カバー２４を取り外すことで操作可能となる。
【００４４】
本体カバー２４は左右方向に幅を有している。本体カバー２４の下面部の幅方向の中央部には、吐水口部２４０が設けられている。吐水口部２４０は下方に向かって開口している。吐水口部２４０は本体カバー２４で覆われた図示しない配管を介して湯水混合栓２０に接続される。湯水混合栓２０から吐水口部２４０に供給された湯水は、一本の水流となって下方に向かって吐出される。この水流はオーバーヘッドシャワー４又はハンドシャワー２３から吐出される水流と比較してかなり太い。
【００４５】
本体カバー２４の下面部の幅方向の両側には下方に突出した台部２４１が形成されている。各台部２４１は斜め下方を向く前面部を有している。各台部２４１の前面部にはシャワーノズル２４２（第２のシャワーノズル２８）が設けられている。両シャワーノズル２４２は、互いに同レベルに配置されている。また、両シャワーノズル２４２は吐水口部２４０とも同レベルに位置している。両シャワーノズル２４２は湯水混合栓２０よりも下方に配置される。また、両シャワーノズル２４２及び吐水口部２４０は、左右方向において両アーム型シャワー２２の間に配置されている。
【００４６】
各シャワーノズル２４２は、本体カバー２４で覆われた図示しない配管を介して湯水混合栓２０に接続される。各シャワーノズル２４２は台部２４１から前側に向かって突出するように設けられており、その先端部にシャワーを吐出するためのノズル孔が形成されている。各シャワーノズル２４２は湯水混合栓２０から供給された湯水をシャワーとして吐出する。このシャワーは、アーム型シャワー２２のシャワーノズル２２１から吐出されるものと同様に、広角に拡散して吐出される多数の水流で構成される。また、このシャワーを構成する水流は直径４００μｍ程度の微細水流である。
【００４７】
各シャワーノズル２４２は本体カバー２４の台部２４１に対して自在継手部２４３を介して回動可能に設けられている。このため、各シャワーノズル２４２はその向きを上下方向及び左右方向のいずれにも変更できるようになっている。
【００４８】
シャワー装置１の装置本体１０が設けられる高さは使用形態等に応じて適宜決定される。例えば図１のように椅子３を備える場合、装置本体１０は高位置に設けられる。また、椅子３を備えない場合は、図２のように装置本体１０を低位置に設けたり、図３のように高位置に設けたりすることができる。
【００４９】
図２のように装置本体１０を低位置に設けた場合、シャワーノズル２４２は、シャワー装置１の直ぐ前方に立った利用者の脚部や、風呂椅子等を利用して座った利用者の脚部に近い位置に配置される。この場合、シャワーノズル２４２は主に利用者の脚部に向けてシャワーを吐出することとなる。また、図３のように装置本体１０を高位置に設けた場合、シャワーノズル２４２は、シャワー装置１の直ぐ前方に立った利用者の腰に近い位置に配置される。この場合、シャワーノズル２４２は主に利用者の腰に向けてシャワーを吐出することとなる。
【００５０】
ハンドシャワー２３は、図１〜図３に示されるように、屈曲可能な接続管２３１と、接続管２３１の一端部に設けられたシャワーヘッド２３２とを有している。接続管２３１は屈曲可能な蛇腹管や可撓性を有するホース等で構成される。
【００５１】
接続管２３１のシャワーヘッド２３２と反対側の端部は湯水混合栓２０の長手方向の一端部に連結されている。また、このハンドシャワー２３は壁５に設けられたフック６５に着脱自在に取り付けられる。すなわち、ハンドシャワー２３は、湯水混合栓２０に接続されている。シャワーヘッド２３２は、フック６５に取り外し自在に保持されている。
【００５２】
湯水混合栓２０からハンドシャワー２３に湯水が供給されると、この湯水は接続管２３１を介してシャワーヘッド２３２に供給され、シャワーヘッド２３２に設けられた多数の吐水孔から吐出される。シャワーヘッド２３２からシャワーが吐出されるとき、シャワーヘッド２３２の各吐水孔からは直径１ｍｍ程度の比較的太い水流が吐出される。
【００５３】
オーバーヘッドシャワー４は、オプションとしてシャワー装置１に取り付けられる。オーバーヘッドシャワー４は、図３に示されるように立上管４０とシャワーヘッド４１とで構成されている。
【００５４】
立上管４０は湯水混合栓２０のカウンター部２００に接続される。立上管４０はカウンター部２００の左右方向の中央部から立ち上げられた後、壁５と反対側となる前側に向けて屈曲され、この後、下側に向けて屈曲される。立上管４０のカウンター部２００から立ち上げられた部分は上下方向の複数箇所が壁５に固定される。シャワーヘッド４１は立上管４０の先端部に設けられている。シャワーヘッド４１は湯水混合栓２０よりも高位置に配置される。また、シャワーヘッド４１は最も上方に位置させたアーム型シャワー２２の先端よりも上方に配置される。
【００５５】
このようにオーバーヘッドシャワー４は、立上管４０と、シャワーヘッド４１とを備えている。立上管４０は、湯水混合栓２０に接続されている。また、立上管４０は、長管部４０Ａと、横管部４０Ｂと、短管部４０Ｃとを備えている。長管部４０Ａ、横管部４０Ｂ、及び短管部４０Ｃは、相互に連通している。長管部４０Ａは、カウンター部２００から上方に向かって突出している。横管部４０Ｂは、長管部４０Ａの上端から前方に向かって突出している。短管部４０Ｃは、横管部４０Ｂの前端から下方に向かって突出している。短管部４０Ｃの下端には、シャワーヘッド４１が設けられている。
【００５６】
湯水混合栓２０からオーバーヘッドシャワー４に湯水が供給されると、この湯水は立上管４０を介してシャワーヘッド４１に供給される。そして、シャワーヘッド４１の下面に設けられた多数の吐水孔から下側に向けて吐出される。シャワーヘッド４１の各吐水孔からは直径１ｍｍ程度の比較的太い水流が吐出される。
【００５７】
椅子３は折り畳み式である（すなわち、シャワー装置１には、折り畳み式椅子が設けられる）。椅子３は、図１に示されるように椅子本体３０と背凭れ３１とで構成されている。背凭れ３１は、カバー３１０と、カバー３１０に設けられたシャワーノズル３１１とを有している。カバー３１０は水平断面形状が後方に開口する溝形に形成されている。カバー３１０は左右方向に幅を有している。カバー３１０の幅方向の寸法は本体カバー２４の幅方向の寸法と同じである。カバー３１０は壁５又は本体カバー２４あるいはその両方に取り付けられる。カバー３１０は本体カバー２４の下方に隣接して配置される。カバー３１０は本体カバー２４に連続したような外観を有する。カバー３１０は本体カバー２４の吐水口部２４０及びシャワーノズル２４２を覆う。すなわち、オプションとして椅子３を設けた場合、吐水口部２４０及びシャワーノズル２４２は利用されない。また、この場合、吐水口部２４０及びシャワーノズル２４２は湯水混合栓２０に接続されない。なお、椅子３を利用する場合、本体カバー２４として吐水口部２４０やシャワーノズル２４２が設けられていないものを用いてもよい。
【００５８】
カバー３１０の前面には前方に僅かに膨出した凭れ部３１２が形成されている。凭れ部３１２の上部には後方に凹んだ凹部３１３が形成されている。凹部３１３の奥面部の左右両側にはシャワーノズル３１１が夫々設けられている。両シャワーノズル３１１は、互いに同レベルに位置している。両シャワーノズル３１１は、本体カバー２４及び背凭れ３１によって覆われた配管（不図示）を介して、湯水混合栓２０に接続される。
【００５９】
各シャワーノズル３１１は、湯水混合栓２０から供給された湯水をシャワーとして吐出する。このシャワーは、アーム型シャワー２２のシャワーノズル２２１から吐出されるものと同様に、広角に拡散して吐出される多数の水流で構成される。また、このシャワーを構成する水流は直径４００μｍ程度の微細水流である。
【００６０】
各シャワーノズル３１１は、凹部３１３の底部から前側に向かって突出するように設けられており、その先端部にシャワーを吐出するためのノズル孔３１５が形成されている。各シャワーノズル３１１は、凭れ部３１２に対して自在継手部３１４を介して回動可能に設けられている。これにより、各シャワーノズル３１１は、その向き（吐出方向）を上下方向及び左右方向のいずれにも変更できるようになっている。なお、シャワーノズル３１１の吐出方向とは、シャワーの中心線に平行な方向である。
【００６１】
椅子本体３０は、座部３００、及び前後の脚部３０１、３０２で構成されている。後側の脚部３０１は壁５又は背凭れ３１あるいはその両方に取り付けられる。脚部３０１は、左右方向に幅を有している。脚部３０１の幅方向の寸法は、背凭れ３１のカバー３１０の幅方向の寸法と同じである。脚部３０１は背凭れ３１の下方に隣接して配置される。脚部３０１は、背凭れ３１のカバー３１０に連続したような外観を有する。脚部３０１は、背凭れ３１と浴室の床との間に配置される。また、脚部３０１は浴室の床上にも載置される。
【００６２】
座部３００は略板状に形成されている。座部３００は図５Ｂに示されるように略水平にしたときにおいて後端に位置する端部が、脚部３０１の上端部に左右軸回り方向に回動自在に連結されている。これにより、座部３００は、図５Ｂに示すような略水平な状態（使用位置）から、図５Ａに示すような背凭れ３１の前面に沿う略鉛直な状態（非使用位置）となるまでの範囲で、上下方向に回動可能となっている。
【００６３】
前側の脚部３０２は略板状に形成されている。脚部３０２は略鉛直にしたときにおいて上端に位置する端部が、座部３００の脚部３０１を連結した側と反対側の端部に左右軸回り方向に回動自在に連結されている。これにより、脚部３０２は、図５Ｂに示すような座部３００に対して略垂直になった状態（使用位置）から、図５Ａに示すような座部３００に対して略平行になった状態（非使用位置）となるまでの範囲で、回動可能となっている。
【００６４】
図５Ｂに示されるように座部３００が使用位置に配置されたとき、座部３００は後側の脚部３０１から前方に突出する。また、このとき、前側の脚部３０２が使用位置に配置されると、脚部３０２は座部３００の前端部から下方に突出し、その下端が浴室の床面に載置される。このようにすることで、利用者は図５Ｂに示されるように座部３００に腰を下ろし、凭れ部３１２に背を凭せ掛けて壁５と反対側を向いた状態で座ることができる。このように利用者が椅子３に着座したとき、利用者の背側には各シャワーノズル３１１が配置されるように設定されている。また、各アーム型シャワー２２は前記のように椅子３に座った利用者に対してシャワーノズル２２１から吐出されたシャワーを当てることができる位置に設けられている。
【００６５】
図５Ａに示されるように座部３００及び前側の脚部３０２が前記非使用位置に配置されたとき、座部３００及び前側の脚部３０２は凭れ部３１２の前面に沿って配置され、椅子本体３０が折り畳まれた状態となる。
【００６６】
前記アーム型シャワー２２、吐水口部２４０、シャワーノズル２４２、ハンドシャワー２３、オーバーヘッドシャワー４、及びシャワーノズル３１１は、シャワー装置１の湯水吐出部を構成する。
【００６７】
湯水混合栓２０の円筒状部２０１（図１等参照）には図示しないシリンダーが内蔵されている。シリンダーには、弁装置として、図４に示されるサーモバルブ２０２、第一切替弁２０３、及び第二切替弁２０４が組み込まれている。
【００６８】
サーモバルブ２０２には給水管６０及び給湯管６１が連通接続される。シリンダーに形成されたサーモバルブ２０２の下流側の流路２０５は、二流路２０６、２０７に分岐している。このうち一方の流路２０６はさらに第一給水路２０８と第二給水路２０９に分岐している。また、他方の流路２０７はさらに第三給水路２１０と第四給水路２１１に分岐している。
【００６９】
第一給水路２０８にはハンドシャワー２３が直接接続される。第二給水路２０９には前記本体カバー２４で覆われた配管（不図示）を介して吐水口部２４０が接続される。また、オプションとして椅子３を備える場合、第二給水路２０９には吐水口部２４０に代えてシャワーノズル３１１が本体カバー２４及び背凭れ３１で覆われた配管を介して接続される。また、オプションとしてオーバーヘッドシャワー４を備える場合、第三給水路２１０には直接オーバーヘッドシャワー４が連通接続される。また、第四給水路２１１には直接アーム型シャワー２２が連通接続される。シャワーノズル２４２を利用する場合、第四給水路２１１には本体カバー２４で覆われた配管を介してシャワーノズル２４２が連通接続される。第四給水路２１１においてアーム型シャワー２２及びシャワーノズル２４２の上流側部分にはハイカット弁２１３が設けられている。
【００７０】
流路２０６において第一給水路２０８と第二給水路２０９に分岐する箇所には、第一切替弁２０３が設けられている。流路２０７において第三給水路２１０と第四給水路２１１とに分岐する箇所には第二切替弁２０４が設けられている。
【００７１】
図１等に示されるように、湯水混合栓２０の左右に長い円筒状部２０１には、操作部として、複数のハンドル２１４〜２１６が設けられている。操作部２１は、湯水混合栓２０を操作するものである。操作部２１は、ハンドル２１４，２１５，２１６を備えている。ハンドル２１４〜２１６は円筒状部２０１の長手方向（左右方向）においてアーム型シャワー２２が連結される両端部よりも内側に位置している。また、ハンドル２１４〜２１６は、湯水混合栓２０の長手方向における中央部よりも外側にずれた位置に設けられている。つまり、すべての操作部２１は、湯水混合栓２０の長手方向における中央部には設けられていない。
【００７２】
各ハンドル２１４〜２１６は、円筒部２１７と突起部２１８とを有している。各ハンドル２１４〜２１６の円筒部２１７の外周面は、円筒状部２０１の外周面と略面一となる。各ハンドル２１４〜２１６の突起部２１８は円筒部２１７の周方向の一部から径外方向に向かって突出している。円筒部２１７は、湯水混合栓２０の円筒状部２０１に対して左右軸回りに回動可能に設けられている。各ハンドル２１４〜２１６は、突起部２１８を手指で操作することで、円筒部２１７に対して上下に回動可能となっている。
【００７３】
ハンドル２１４は湯水混合栓２０の向かって左側に設けられている。ハンドル２１４を上下に回動操作することで、サーモバルブ２０２によって混合される湯と水の割合が変わる。すなわち、ハンドル２１４は湯温を調節するための湯温調整用操作部２９を構成する。
【００７４】
ハンドル２１５は湯水混合栓２０の向かって右側に設けられている。ハンドル２１５が上下に回動操作されると、第一切替弁２０３は、第一給水路２０８側、第二給水路２０９側、及び止水状態のいずれかに切り替えられる。第一切替弁２０３が第一給水路２０８側に切り替えられると、湯水混合栓２０で混合された湯水はハンドシャワー２３に供給される。第一切替弁２０３が第二給水路２０９側に切り替えられると、湯水混合栓２０で混合された湯水は吐水口部２４０又はシャワーノズル３１１に供給される。第一切替弁２０３が止水状態に切り替えられると、第一給水路２０８及び第二給水路２０９への湯水の供給が停止される。
【００７５】
ハンドル２１６は湯水混合栓２０の向かって右側に設けられている。ハンドル２１６はハンドル２１５の右側に隣接して配置されている。ハンドル２１６が上下に回動操作されると、第二切替弁２０４は、第三給水路２１０側、第四給水路２１１側、及び止水状態のいずれかに切り替えられる。第二切替弁２０４が第三給水路２１０側に切り替えられると、湯水混合栓２０で混合された湯水はオーバーヘッドシャワー４に供給される。第二切替弁２０４が第四給水路２１１側に切り替えられると、湯水混合栓２０で混合された湯水がアーム型シャワー２２及びシャワーノズル２４２に供給される。第二切替弁２０４が止水状態に切り替えられると、第三給水路２１０及び第四給水路２１１への湯水の供給が停止される。
【００７６】
シャワー装置１のアーム型シャワー２２、吐水口部２４０、シャワーノズル２４２、ハンドシャワー２３、シャワーノズル３１１、及びオーバーヘッドシャワー４は、例えば以下のように利用される。なお、この利用は、予め止水栓６２、６３を開き、且つ、ハンドル２１４の操作により吐出湯水の温度調節を行った上で行われる。
【００７７】
利用者は湯水混合栓２０のハンドル２１６を操作して第二切替弁２０４を第四給水路２１１側に切り替えることで、アーム型シャワー２２を利用できる。このようにすると、湯水混合栓２０で混合された湯水が、第四給水路２１１を介して各アーム型シャワー２２に供給され、各シャワーノズル２２１から吐出される。これにより、利用者は両アーム型シャワー２２の間に位置して、各シャワーノズル２２１から吐出された湯水（シャワー）を浴びることができる。
【００７８】
また、利用者は各アーム型シャワー２２を湯水混合栓２０に対して上下に回動することで、シャワー装置１の前側に立った状態及び座った状態のいずれの状態にあるときでも、アーム型シャワー２２から吐出されたシャワーを身体の所望の部位に浴びることができる。
【００７９】
例えば、利用者がシャワー装置１の直ぐ前方に立った状態でシャワーを浴びたいとき、利用者は、図５Ａに示されるように、アーム型シャワー２２を水平よりも上側に回動して略鉛直にし、シャワーノズル２２１を前側に向ければよい。このようにすることで、利用者は、アーム型シャワー２２から吐出されたシャワーを、浴室に立った状態で頭部側から浴びたり、上半身等に浴びたりすることができる。また、利用者が椅子３又は風呂椅子等を利用してシャワー装置１の直ぐ前方に座った状態でシャワーを浴びたいとき、利用者はアーム型シャワー２２を図５Ａに示される位置よりも下側に回動すればよい。これにより、利用者は、アーム型シャワー２２を図５Ｂに示されるように略水平にしたり、水平よりも下側の回動位置に配置したり（先端に向かうほど下方に位置するように傾斜した状態に）することができる。従って、利用者はアーム型シャワー２２から吐出されたシャワーを椅子３や風呂椅子等に座った状態で浴びることができる。
【００８０】
また、両アーム型シャワー２２は夫々独立して上下方向に回動することができる。このため、利用者は、例えば一方のアーム型シャワー２２を水平よりも上側に回動し且つ他方のアーム型シャワー２２を水平よりも下側に回動して、両アーム型シャワー２２から吐出されたシャワーを身体の広い範囲に浴びることもできる。また、利用者は、各アーム型シャワー２２のアーム部２２０を回動部材２２２に対して回動することで、アーム部２２０に設けられた複数のシャワーノズル２２１の向きを利用者の所望の部位に当たるように変更することもできる。
【００８１】
また、シャワー装置１がオプションとして椅子３を備えない場合、前記のようにアーム型シャワー２２から湯水が吐出されているときには、湯水混合栓２０で混合された湯水は各シャワーノズル２４２にも供給される。この湯水は各シャワーノズル２４２から前側に吐出される。このため、浴室に立った利用者や、浴室に風呂椅子等を用いて座った利用者は、アーム型シャワー２２から吐出されたシャワーを浴びると同時に、壁５側に位置する各シャワーノズル２４２から吐出されたシャワーを背や腰、脚等に浴びることができる。また、利用者は各シャワーノズル２４２の上下方向及び左右方向の向きを調節することができる。このため、利用者は各シャワーノズル２４２から吐出されたシャワーを所望の部位に浴びることができる。
【００８２】
また、各アーム型シャワー２２を利用しないときは、利用者は各アーム型シャワー２２を湯水混合栓２０に対して壁５側に回動することで、各アーム型シャワー２２を図１等に示されるように湯水混合栓２０から後斜め下方に向けて突出した位置に配置できる。なお、この場合、利用者は湯水混合栓２０から後斜め上方に向けて突出した位置に配置しても構わない。
【００８３】
このように各アーム型シャワー２２を後斜め下方又は後斜め上方に向けて突出させることで、各アーム型シャワー２２を浴室に居る人にとって邪魔になり難い位置に配置することができる。また、このように各アーム型シャワー２２を後斜め下方又は後斜め上方に向けて突出させたとき、壁５とアーム型シャワー２２との間に手を入れるための隙間６４を形成することができる。このため、利用者は、湯水混合栓２０から後斜め下方又は後斜め上方に向けて突出したアーム型シャワー２２を持って前方に引き出すとき、隙間６４から手を入れてアーム型シャワー２２を容易に掴むことができる。
【００８４】
利用者は、湯水混合栓２０のハンドル２１５を操作して第一切替弁２０３を第二給水路２０９側に切り替えることで、吐水口部２４０を利用できる。このようにすると、湯水混合栓２０で混合された湯水は吐水口部２４０から吐出される。また、利用者は、このように吐水口部２４０から湯水を吐出しているとき、第二切替弁２０４を第四給水路２１１側に切り替えて、各アーム型シャワー２２からシャワーを吐出させることもできる。また、このとき、各シャワーノズル２４２（第２のシャワーノズル２８）からもシャワーを吐出させることができる。
【００８５】
利用者は、湯水混合栓２０のハンドル２１５を操作して第一切替弁２０３を第一給水路２０８側に切り替えることで、ハンドシャワー２３を利用できる。このようにすると、湯水混合栓２０で混合された湯水はハンドシャワー２３のシャワーヘッド２３２からシャワーとして吐出される。これにより、利用者はハンドシャワー２３から吐出されたシャワーを所望の部位に浴びることができる。また、このようにハンドシャワー２３から湯水が吐出しているとき、利用者は第二切替弁２０４を第四給水路２１１側に切り替えることで、各アーム型シャワー２２からもシャワーを吐出させることもできる。またこのとき、シャワー装置１が椅子３を備えていない場合には各シャワーノズル２４２からもシャワーを吐出させることができる。
【００８６】
シャワー装置１がオプションとして椅子３を備える場合、利用者は背凭れ３１に設けられた各シャワーノズル３１１を利用することができる。利用者は、各シャワーノズル３１１を利用する場合、図１や図５Ｂに示されるように椅子本体３０を前方に引き出した状態とし、この状態で湯水混合栓２０のハンドル２１５を操作して第一切替弁２０３を第二給水路２０９側に切り替えればよい。このようにすると、湯水混合栓２０で混合された湯水は背凭れ３１の各シャワーノズル３１１から吐出される。このため、利用者は椅子３に座った状態で、各シャワーノズル３１１から吐出されたシャワーを背や腰等に浴びることができる。また、前述のように各シャワーノズル３１１はその上下方向及び左右方向の向きを調節することができる。このため、椅子３に座った利用者は各シャワーノズル２４２から吐出されたシャワーを背や腰等の所望の部位に浴びることができる。
【００８７】
また、このように各シャワーノズル３１１から湯水が吐出されているとき、利用者は、第二切替弁２０４を第四給水路２１１側に切り替えることで、各アーム型シャワー２２からシャワーを吐出させることができる。このため、利用者は椅子３に座った状態で、アーム型シャワー２２から吐出されたシャワーを浴びると同時に、利用者の背側に配置された各シャワーノズル３１１から吐出されたシャワーを背や腰等に浴びることができる。
【００８８】
シャワー装置１がオプションとしてオーバーヘッドシャワー４を備える場合、利用者は湯水混合栓２０のハンドル２１６を操作して第二切替弁２０４を第三給水路２１０側に切り替えることで、オーバーヘッドシャワー４を利用できる。このようにすると、湯水混合栓２０で混合された湯水はオーバーヘッドシャワー４のシャワーヘッド４１からシャワーとして吐出される。このため、利用者はオーバーヘッドシャワー４から吐出されたシャワーを頭部側（上側）から浴びることができる。
【００８９】
以上説明したように、本実施形態のシャワー装置１は、以下の第１の特徴を有する。
【００９０】
第１の特徴では、シャワー装置１は、浴室の壁５に固定される被固定部２と、この被固定部２に対して上下方向に回動可能に設けられたアーム型シャワー２２とを備える。アーム型シャワー２２には、アーム型シャワー２２の長手方向に並ぶように複数のシャワーノズル２２１が設けられる。アーム型シャワー２２は、長手方向と平行な回転軸（第２の回転軸）を中心にして回動可能となるように構成される。
【００９１】
このため、本実施形態のシャワー装置１は、利用者がアーム型シャワー２２を湯水混合栓２０に対して上下に回動するだけで、アーム型シャワー２２から吐出されるシャワーを身体の所望の部位に簡単に浴びることができ、使い勝手が良い。また、アーム型シャワー２２は、その長手方向に並べて設けられた複数のシャワーノズル２２１を有し、アーム型シャワー２２はその長手方向と平行な回動軸を中心に回動可能である。このため、利用者は、アーム型シャワー２２を回動部材２２２に対して回動して、シャワーノズル２２１から吐出されるシャワーを利用者の所望の部位に浴びることもできる。また、アーム型シャワー２２を回動部材２２２に対して回動する一度の動作により、複数のシャワーノズル２２１の向きを変更することができ、使い勝手も良い。
【００９２】
また、本実施形態のシャワー装置１は、以下の第２〜第１３の特徴を有していてもよい。なお、第２〜第１３の特徴は任意の特徴である。
【００９３】
第２の特徴では、第１の特徴において、アーム型シャワー２２が、水平よりも上側に回動して浴室に立った利用者に向けてシャワーを吐出する位置から、この位置よりも下側（図５Ｂの例では水平よりも下側）に回動して浴室に座った利用者に向けてシャワーを吐出する位置まで回動できるように構成される。なお、浴室に座った利用者に向けてシャワーを吐出するアーム型シャワー２２の姿勢は、水平よりも下側に傾いた状態であってもよいし、水平よりも上側に傾いた状態であってもよいし、水平な状態であってもよい。
【００９４】
このため、本実施形態のシャワー装置１の第２の特徴によれば、利用者は適宜アーム型シャワー２２を上下に回動することで、アーム型シャワー２２から吐出されたシャワーを、浴室に立った状態及び座った状態のいずれの状態にあるときにも浴びることができる。
【００９５】
第３の特徴では、第１の特徴において、アーム型シャワー２２が被固定部２の左右両側に設けられる。
【００９６】
このため、本実施形態のシャワー装置１の第３の特徴によれば、利用者は左右両側に位置するアーム型シャワー２２から吐出されたシャワーを浴びることができる。
【００９７】
第４の特徴では、第３の特徴において、両アーム型シャワー２２（左右両側のアーム型シャワー２２）が、夫々独立して上下方向に回動できるように構成される。
【００９８】
このため、本実施形態のシャワー装置１の第４の特徴によれば、利用者は、左右両側のアーム型シャワー２２を夫々独立して回転操作をすることができるため、使い勝手がよい。
【００９９】
第５の特徴では、第１の特徴において、アーム型シャワー２２が、被固定部２において、浴室の壁５から前方に離れた箇所に、上下方向に回動できるように連結される。アーム型シャワー２２は、被固定部２から後斜め下方、又は後斜め上方に向けて突出する位置まで回動できるように構成される。
【０１００】
このため、本実施形態のシャワー装置１の第５の特徴によれば、利用者は、各アーム型シャワー２２を湯水混合栓２０から後斜め下方、又は後斜め上方に向けて突出させて、浴室に居る人にとって邪魔になり難い位置に配置することができる。
【０１０１】
また、このように各アーム型シャワー２２を後斜め下方、又は後斜め上方に向けて突出させたとき、壁５とアーム型シャワー２２の間に手を入れるための隙間６４を形成することができる。このため、利用者は、前記のように湯水混合栓２０から後斜め下方又は後斜め上方に向けて突出したアーム型シャワー２２を持って前方に引き出すときに、隙間６４から手を入れてアーム型シャワー２２を容易に掴むことができる。
【０１０２】
また、利用者は、湯水混合栓２０から後斜め下方又は後斜め上方に向けて突出したアーム型シャワー２２の先端部を、壁５に接触させておくことができる。このため、壁５でアーム型シャワー２２の先端部を支持してアーム型シャワー２２を固定することができる。
【０１０３】
第６の特徴では、第１の特徴において、被固定部２が湯水混合栓２０で構成される。湯水混合栓２０にはハンドシャワー２３が接続される。
【０１０４】
このため、本実施形態のシャワー装置１の第６の特徴によれば、利用者は、ハンドシャワー２３を利用して身体の所望の部位にシャワーを浴びることができる。また、湯水混合栓２０、アーム型シャワー２２、及びハンドシャワー２３をユニット化することができ、シャワー装置１の施工を容易にすることができる。
【０１０５】
第７の特徴では、第１の特徴において、被固定部２が湯水混合栓２０で構成される。湯水混合栓２０にはオーバーヘッドシャワー４が接続される。
【０１０６】
このため、本実施形態のシャワー装置１の第７の特徴によれば、利用者はオーバーヘッドシャワー４を利用して頭上からシャワーを浴びることができる。また、湯水混合栓２０、アーム型シャワー２２、及びオーバーヘッドシャワー４をユニット化することができ、シャワー装置１の施工を容易にすることができる。
【０１０７】
第８の特徴では、第１の特徴において、折り畳み式椅子３が設けられている。折り畳み椅子３は、利用者がアーム型シャワー２２から吐出されたシャワーを浴びる位置に座るためのものである。
【０１０８】
このため、本実施形態のシャワー装置１の第８の特徴によれば、利用者は椅子３に座った状態で各アーム型シャワー２２から吐出されたシャワーを浴びることができる。また、椅子３を折り畳むことで、椅子３を浴室に居る人にとって邪魔になり難い位置に配置することができる。また、椅子３を折り畳むことで、シャワー装置１の直ぐ前方に立つためのスペースを確保することができる。
【０１０９】
第９の特徴では、第１の特徴において、被固定部２が横長の湯水混合栓２０で構成される。湯水混合栓２０は、湯温を調整するための湯温調整用操作部２９を有する。アーム型シャワー２２は、湯水混合栓２０の長手方向の端部に上下方向に回動できるように連結されている。
【０１１０】
このため、本実施形態のシャワー装置１の第８の特徴によれば、アーム型シャワー２２が横長の湯水混合栓２０に連結されているため、湯水混合栓２０とアーム型シャワー２２とをユニット化することができる。従って、シャワー装置１の施工の際には、アーム型シャワー２２を湯水混合栓２０に配管等を介して接続する手間を省くことができ、シャワー装置１の施工を容易にすることができる。また、アーム型シャワー２２を湯水混合栓２０に設けられた湯温調整用操作部２９に近い位置に配置することができる。このため、アーム型シャワー２２を利用する利用者は、ハンドル２１４を容易に操作することができる。
【０１１１】
第１０の特徴では、第１の特徴において、被固定部２が横長の湯水混合栓２０で構成される。湯水混合栓２０には、この湯水混合栓２０を操作するための操作部２１が設けられる。操作部２１は、湯水混合栓２０の長手方向における中央部よりも外側にずれた位置に設けられる。
【０１１２】
このため、本実施形態のシャワー装置１の第１０の特徴によれば、浴室に立った利用者や椅子３や風呂椅子等に座った利用者が湯水混合栓２０に近接しても、操作部２１（ハンドル２１４〜２１６）が利用者に当たりにくい。これにより、シャワー装置１の使い勝手をよくすることができる。
【０１１３】
第１１の特徴では、第１の特徴において、当該シャワー装置１は、下方に水を吐水する吐水口部２４０と、この吐水口部２４０を利用する利用者に向けてシャワーを吐出する第２のシャワーノズル２８とをさらに備える。シャワー装置１は、吐水口部２４０からの水と第２のシャワーノズル２８からのシャワーとが同時に吐出できるように構成される。
【０１１４】
このため、本実施形態のシャワー装置１の第１１の特徴によれば、利用者は、第２のシャワーノズル２８から吐出されたシャワーを浴びながら、吐水口部２４０を快適に利用することができる。
【０１１５】
第１２の特徴では、第１の特徴において、アーム型シャワー２２に設けられた複数のシャワーノズル２２１のうち、少なくとも１つのシャワーノズル２２１が吐出方向を変更できるように構成される。
【０１１６】
このため、本実施形態のシャワー装置１の第１２の特徴によれば、利用者は、アーム型シャワー２２の角度と、シャワーノズル２２１の吐出方向とをそれぞれ調節することで、シャワーノズル２２１から吐出されるシャワーを、利用者の身体の望ましい部位に当てることができる。
【０１１７】
第１３の特徴は、第１２の特徴において、次のように構成される。アーム型シャワー２２の長手方向において、最も被固定部２側に位置するシャワーノズル２２１と、最も先端側に位置するシャワーノズル２２１とのうち、少なくとも１つのシャワーノズル２２１は吐出方向が変更できるように構成される。アーム型シャワー２２に設けられた全てのシャワーノズル２２１のうち、吐出方向の変更が可能なシャワーノズル２２１以外のシャワーノズル２２１は、吐出方向が一方向に固定される（吐出方向が変更できないように構成される）。なお、吐出方向の変更が可能なシャワーノズル２２１が２つ設けられた場合には、シャワーノズル２２１は、この吐出方向の変更が可能なシャワーノズル２２１を含めて３つ以上設けられる。
【０１１８】
このため、本実施形態のシャワー装置１の第１３の特徴によれば、大部分のシャワーノズル２２１の吐出方向が一方向に固定されているため、アーム型シャワー２２を第２の回転軸回りに回転させるだけで、複数のシャワーノズル２２１の吐出方向の制御を容易に行える。さらに、並ぶように設けられたシャワーノズル２２１のうち、少なくとも一つの端のシャワーノズル２２１の吐出方向が可変であるため、アーム型シャワー２２が傾斜した場合であっても、すべてのシャワーノズル２２１のシャワーを利用者の身体に当てやすくできる。
【０１１９】
以上述べたように、本実施形態のシャワー装置１は、上述の構成を備えたことで、アーム型シャワー２２を湯水混合栓２０に対して上下に回動するだけで、アーム型シャワー２２から吐出されるシャワーを身体の望ましい部位に簡単に当てることができる。また、本実施形態のシャワー装置１は、上述の構成を備えたことで、利用者がアーム型シャワー２２をその長手方向と平行な回動軸（第２の回転軸）を中心に回動して、シャワーノズル２２１から吐出されるシャワーを利用者の所望の部位に当てることもできる。さらに、本実施形態のシャワー装置１によれば、利用者はアーム型シャワー２２を前記回動軸（第２の回転軸）を中心に回転させるだけで、複数のシャワーノズル２２１の向きを変更することができる。これによって、本実施形態のシャワー装置１によれば、利用者は、シャワーを身体の望ましい部位に簡単に当てることができる。
【０１２０】
なお、本実施形態ではアーム型シャワー２２を湯水混合栓２０に連結したが、アーム型シャワー２２は壁５に固定される湯水混合栓２０以外の被固定部２に連結しても構わない。また、本実施形態では湯水混合栓２０の両端部にアーム型シャワー２２を設けたが、アーム型シャワー２２を湯水混合栓２０の一端部にのみ設けてもよい。また、本実施形態の各アーム型シャワー２０は、湯水混合栓２０から後斜め下方に向けて突出して先端部が浴室の壁５に当接する下位置から、湯水混合栓２０から後斜め上方に向けて突出して先端部が浴室の壁５に当接する上位置まで回動可能としている。しかし、各アーム型シャワー２２の上下方向の回動範囲はこれに限定されるものではない。例えば各アーム型シャワー２２は上位置には回動不能で且つ下位置には回動可能なものであってもよい。また、各アーム型シャワー２２は下位置には回動不能で上位置には回動可能なものであってもよい。また、各アーム型シャワー２２は上位置や下位置に配置したとき、壁５に当接せず、壁５の近傍に配置されるものであってもよい。また、各アーム型シャワー２２は湯水混合栓２０から後斜め方向に突出する位置まで回動不能なものであってもよい。また、本実施形態では各アーム部２２０を直線状にしたが、アーム部２２０は屈曲させてもよい。また、この場合、各アーム部２２０は回動部材２２２に対して湯水混合栓２０との連結部分（回動部材２２）における長手方向と平行な回動軸を中心に回動自在するのがよい。また、各アーム型シャワー２０の回動部材２２２に対する回動範囲は回動部材２２２に対して３６０度未満としてもよい。また、本実施形態の椅子３は壁５に対して固定されるものであるが、壁５に対して着脱自在に固定されるものであってもよい。
【０１２１】
また、本実施形態のシャワー装置１は、両シャワーノズル２４２が吐水口部２４０と同じ高さ位置に設けられたが、吐水口部２４０よりも下側に配置されてもよいし、吐水口部２４０よりも上側に配置されてもよい。また、本実施形態のシャワーノズル２４２は、上下方向及び左右方向の向きが調整可能となっていたが、吐出方向については、上下方向のみ又は左右方向のみに調整可能となったものであってもよい。
【０１２２】
また、この他、シャワー装置１は本発明の要旨を逸脱しない範囲内で適宜設計変更しても構わない。
【図１】
2014041780.tif 000003
【図２】
2014041780.tif 000004
【図３】
2014041780.tif 000005
【図４】
2014041780.tif 000006
【図５Ａ】
2014041780.tif 000007
【図５Ｂ】
2014041780.tif 000008
【図６Ａ】
2014041780.tif 000009
【図６Ｂ】
2014041780.tif 000010
【国際調査報告】
2014041780.tif 000011
2014041780.tif 000012
2014041780.tif 000013
2014041780.tif 000014